【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
ホスト・デバイスへの制御経路を含むメモリ・システムであって、
前記ホスト・デバイスが、前記メモリ・システムの動作に適したレベルを有するホスト電圧と、前記ホスト電圧が前記レベルに到達したことを示す起動完了信号を供給するものであり：
ホスト電圧入力と、出力と、前記ホスト電圧入力での前記ホスト電圧を前記出力に短絡させるバイパスを含む電圧調整器と；
コントローラと；
前記電圧調整器および前記コントローラと通信する電圧検出器と；
前記ホスト電圧が前記レベルに到達したことを示す前記ホスト・デバイスによって生成される前記起動完了信号の後に、前記コントローラによって出力されるバイパス有効化信号を備えるメモリ・システム。
【請求項２】
前記ホスト・デバイスによって生成される前記起動完了信号が、前記制御経路を介して供給される、請求項１に記載のメモリ・システム。
【請求項３】
前記バイパスが少なくとも１つのトランジスタである、請求項１に記載のメモリ・システム。
【請求項４】
前記バイパスが複数のトランジスタを備える、請求項３に記載のメモリ・システム。
【請求項５】
前記バイパス有効化信号が、前記コントローラによって前記トランジスタのゲートに供給される、請求項３に記載のメモリ・システム。
【請求項６】
前記ホスト・デバイスによって生成される前記信号が、前記メモリ・システムへのコマンド信号である、請求項１に記載のメモリ・システム。
【請求項７】
前記メモリ・システムがマルチメディア・カードである、請求項１に記載のメモリ・システム。
【請求項８】
前記メモリ・システムがマルチメディア・カードであり、前記ホスト・デバイスによって生成される前記信号がコマンド信号である、請求項１に記載のメモリ・システム。
【請求項９】
前記コマンド信号がＣＭＤ０またはＣＭＤ１である、請求項８に記載のメモリ・システム。
【請求項１０】
前記ホスト供給電圧がしきい値に満たない場合に、前記電圧検出器が、前記入力電圧を前記出力に短絡させるバイパス有効化信号を出力する、請求項２に記載のメモリ・システム。
【請求項１１】
前記メモリ・システムがＰＣカードである、請求項１に記載のメモリ・システム。
【請求項１２】
前記メモリ・システムがコンパクト・フラッシュ・カードである、請求項１に記載のメモリ・システム。
【請求項１３】
前記メモリ・システムがセキュア・デジタル・カードである、請求項１に記載のメモリ・システム。
【請求項１４】
前記メモリ・システムがスマート・メディア・カードである、請求項１に記載のメモリ・システム。
【請求項１５】
前記メモリ・システムがメモリ・スティックである、請求項１に記載のメモリ・システム。
【請求項１６】
コントローラを含むメモリ・システム内の電圧調整器を動作させる方法であって、
前記電圧調整器が、ホスト電圧入力と出力を有しており、
前記電圧調整器が、前記コントローラに応答する調整器バイパスを含んでおり、
前記調整器バイパスが、有効化信号に応答して前記入力での前記ホスト電圧を前記出力に短絡させるものであって：
ホスト・デバイスが起動する前に前記バイパスをオフにセットする工程と；
前記ホスト電圧が前記メモリシステムの動作に適したレベルであることを示す、前記コントローラへの前記ホスト・デバイスからの起動完了信号に応答して、前記ホスト・デバイスによって供給される電力を特定する工程と；
前記電力がしきい値動作電圧よりも低い場合に、前記コントローラを用いて前記バイパスを有効化する工程を備える方法。
【請求項１７】
前記バイパスがトランジスタであり、前記バイパスをオフにセットする前記工程が、前記トランジスタのゲートに信号を供給する工程を含む、請求項１６に記載の方法。
【請求項１８】
前記バイパスが複数のトランジスタを備えており、前記バイパスを有効化する前記工程が、前記複数のトランジスタの各ゲートに有効化信号を印加する工程を備える、請求項１７に記載の方法。
【請求項１９】
前記起動完了信号が、前記ホスト・デバイスからのコマンド信号である、請求項１７に記載の方法。
【請求項２０】
前記コマンド信号が、マルチメディア・カードに対するＣＭＤ０またはＣＭＤ１である、請求項１９に記載の方法。
【請求項２１】
前記しきい値電圧が２．７ボルトよりも低い、請求項１７に記載の方法。
【請求項２２】
前記しきい値電圧が２．０ボルトよりも低い、請求項１７に記載の方法。
【請求項２３】
前記しきい値電圧が１．６５ボルトよりも低い、請求項１７に記載の方法。
【請求項２４】
前記しきい値電圧が１．３ボルトよりも低い、請求項１７に記載の方法。
【請求項２５】
電圧調整器回路とコントローラを含むホスト・システム用の周辺デバイスであって、
前記ホスト・システムが、前記周辺デバイスにホスト電圧を供給するものであり：
ホスト電圧入力と出力を備える電圧調整器と；
前記入力での前記ホスト電圧を前記出力に選択的に短絡させるように接続されたバイパス素子と；
前記ホスト・システムの起動完了後に、前記ホスト電圧がしきい値レベルより低い場合に、前記バイパス素子を有効化する、ホスト・システム起動完了信号に応答する、前記バイパス素子に接続された前記コントローラからのバイパス制御信号を備えており、
前記ホスト・システム起動完了信号が、前記ホスト電圧が前記メモリ・システムの動作に適したレベルであることを示すものである、周辺デバイス。
【請求項２６】
前記調整器が、前記起動完了信号に応答する検出器を含む、請求項２５に記載の周辺デバイス。
【請求項２７】
前記検出器が、前記ホスト・システムによって供給される前記電圧がしきい値レベルを超える場合に第１の信号を出力し、前記ホスト・システムによって供給される前記電圧が前記しきい値レベルを下回る場合に第２の信号を出力する、請求項２６に記載の周辺デバイス。
【請求項２８】
前記バイパス素子が少なくとも１つのｐ型トランジスタを含む、請求項２５に記載の周辺デバイス。
【請求項２９】
前記バイパス制御信号が、少なくとも１つのトランジスタのゲートに印加される、請求項２７に記載の周辺デバイス。
【請求項３０】
前記バイパス素子が、前記ホスト・システムの起動中に無効化される、請求項２７に記載の周辺デバイス。
【請求項３１】
前記バイパス制御信号が、コントローラによって供給される、請求項２５に記載の周辺デバイス。
【請求項３２】
マルチメディア・カードのメモリ・デバイスの電圧調整器を動作させる方法であって、
前記電圧調整器が、ホスト電圧入力と出力とコントローラを備え、
前記電圧調整器が、前記入力でのホスト電圧を前記出力に短絡させる調整器バイパスを含んでおり：
ホスト・デバイスが起動する前に前記バイパスをオフにセットする工程と、
前記ホスト電圧が前記メモリ・システムの動作に適したレベルであることを示す、前記ホスト・デバイスからのコマンド信号に応答して、前記ホスト・デバイスによって供給される電力を特定する工程と、
前記コマンド信号の後に、前記電力がしきい値動作電圧よりも低い場合に、前記コントローラを用いて前記バイパスを有効化する工程を備える方法。
【請求項３３】
前記コマンド信号が、マルチメディア・カードに対するＣＭＤ０またはＣＭＤ１である、請求項３２に記載の方法。
【請求項３４】
メモリ・システムであって：
コントローラと；
メモリ・アレイと；
バイパス制御信号に応答する、ホスト電圧入力と出力の間の短絡素子を備える電圧調整器を備えており、
前記バイパス制御信号が、前記ホスト電圧が前記メモリ・システムの動作に適したレベルであることを示す、ホスト・システム起動完了信号に応答するコントローラによって供給され、起動完了後に、ホスト・システムによって供給されるホスト供給電圧がしきい値レベルを下回る場合に、前記短絡素子を有効化する、メモリ・システム。
【請求項３５】
前記ホスト供給電圧が前記しきい値を超えている場合に、前記調整器が前記ホスト供給電圧よりも低い電圧を出力する、請求項３４に記載のメモリ・システム。
【請求項３６】
前記ホスト供給電圧が前記しきい値を超えている場合に、前記調整器が少なくとも第１または第２の出力電圧を出力する、請求項３５に記載のメモリ・システム。